(57)【要約】本発明は、鋭い遠位端が設けられた挿入モジュールを備える眼科手術器具に関する。さらに、眼科手術器具は、それを操作するための操作要素を備える。操作要素は、湾曲セグメントを介して挿入モジュールに取り付けられる。湾曲セグメントは好ましくはキンクを備える。【選択図】  図１
2011515185.tif 000002
【特許請求の範囲】
【請求項１】
鋭い遠位端と、眼科手術器具を操作するための操作要素とが設けられた挿入モジュールを備える眼科手術器具であって、前記操作要素が湾曲セグメントを介して挿入モジュールに取り付けられる眼科手術器具。
【請求項２】
前記湾曲セグメントがキンクを備える請求項１に記載の眼科手術器具。
【請求項３】
前記湾曲セグメントが前記操作要素および／または前記挿入モジュールと一体成形される請求項１または２に記載の眼科手術器具。
【請求項４】
前記挿入モジュールが、実質的に管状またはピン状の要素を備える請求項１〜３のいずれか１項に記載の眼科手術器具。
【請求項５】
前記挿入モジュールには、前記管状要素を円周方向に囲むシールモジュールが設けられる請求項１〜４のいずれか１項に記載の眼科手術器具。
【請求項６】
前記シールモジュールが、前記管状要素から半径方向に延びる実質的に剛性のフランジを備える請求項１〜５のいずれか１項に記載の眼科手術器具。
【請求項７】
前記シールモジュールが、さらに、前記管状要素を円周方向に囲む弾性カラーを備える請求項１〜６のいずれか１項に記載の眼科手術器具。
【請求項８】
前記シールモジュールが、さらに、前記管状要素の中心線に対して軸方向に摺動可能な支持要素を備え、前記支持要素には前記フランジと前記弾性カラーとが取り付けられる請求項１〜７のいずれか１項に記載の眼科手術器具。
【発明の詳細な説明】
【技術分野】
【０００１】
本発明は、鋭い遠位端と、眼科手術器具を操作するための操作要素とが設けられた挿入モジュールを備える眼科手術器具に関する。
【背景技術】
【０００２】
このような眼科手術器具は例えば特許文献１から知られている。眼の外科的処置の間に、器具の挿入モジュールが、操作要素により切開部の結膜と強膜とを介して眼の眼内空間に挿入される。その後、挿入モジュールは、外科的処置を行うことができるようにするために眼内空間内に延びる手術補助具を収容することができる。比較的限定された寸法の切開部が設けられるので、介入後に縫合糸を使用しなくても、組織は急速に再生することができる。
【０００３】
しかし、このような眼科手術器具の操作は、ある技術を非常に必要とし、時には、鼻梁等の、患者の眼の近くの突出部によって妨げられる。
【先行技術文献】
【特許文献】
【０００４】
【特許文献１】米国特許公開第２００４／００７３２３１号明細書
【発明の概要】
【課題を解決するための手段】
【０００５】
本発明は、利点を保持しつつ、言及した欠点を回避する冒頭に記載した種類の眼科手術器具を提供する。特に、本発明は、向上した操作性を有する眼科手術器具を実現することを意図する。このため、操作要素は、湾曲セグメントを介して挿入モジュールに取り付けられる。
【０００６】
湾曲セグメントを介して操作要素を挿入モジュールに取り付けることにより、外科医は、操作要素を旋回させることで、眼の近くの顔面の部分への接触を回避することができる。このようにして、器具の移動自由度が大きくなり、操作性が向上する。
【０００７】
好ましくは、湾曲セグメントはキンクを備えるので、湾曲部は、比較的短い長さにわたって延びる。この湾曲セグメントは、比較的小さな曲率半径を含む。したがって、すなわちより大きな移動自由度を提供する湾曲部の効果が最適に利用される。もちろん、例えば、比較的大きな曲率半径を有する曲がったセグメントとして、異なる構造の湾曲セグメントを形成することも可能である。さらに、湾曲セグメントは、例えば異なる曲率半径および／または配向を有する複数の非直線状部分を有することができる。
【０００８】
本発明の別の有利な実施形態は従属請求項に記載される。
【０００９】
さらに、図面に示されている例示的な実施形態を参照して、本発明について説明する。
【図面の簡単な説明】
【００１０】
【図１】本発明による手術器具の概略断面立面図である。
【図２】図１の器具のシールモジュールの概略斜視図である。
【発明を実施するための形態】
【００１１】
図は、本発明の好ましい実施形態の単なる概略図である。図において、同一または対応する部分には同一の参照番号が付されている。
【００１２】
図１は、本発明による手術器具１の概略断面図を示している。器具１は、鋭い遠位端３と、器具１を操作するための操作要素４とが設けられた挿入モジュール２を備える。挿入モジュール２は、ほぼ直線状の構造である実質的に管状の要素５を備える。操作要素４もほぼ直線状である。さらに、管状要素５の代わりに、中実のピン状要素を使用してもよいことに留意されたい。
【００１３】
操作要素４および挿入モジュール２は、キンクを有する湾曲セグメント６を介して互いに取り付けられる。さらに、湾曲セグメントは操作要素４および挿入モジュール２と一体成形される。したがって、操作要素４、湾曲セグメントおよび挿入モジュール２が１つの完全体を形成する。本発明による他の実施形態では、湾曲セグメントは、操作要素４または挿入モジュール２のみと一体成形されるか、あるいはさらに完全に別個の構造である。さらに、器具１の操作要素４にはグリップ７が設けられる。
【００１４】
特定の実施形態では、操作要素４は挿入モジュール２に取り外し可能に取り付けられる。
【００１５】
本発明の一態様によれば、挿入モジュール２には、管状要素５を円周方向に囲むシールモジュール８が設けられる。図２は、このようなシールモジュール８の概略斜視図を示している。
【００１６】
シールモジュール８は、実質的に剛性のフランジ９を備え、このフランジは、管状要素５から半径方向Ｒに、管状要素５の中心線Ｈに対してほぼ横方向に延びる。さらに、シールモジュール８は、管状要素５を円周方向Ｔに囲む弾性カラー１０を備える。剛性フランジ９はシールモジュール８の寸法安定性に寄与する。
【００１７】
好ましくは、シールモジュール８は、さらに、管状要素５の中心線Ｈに対して軸方向に摺動可能な支持要素１１を備え、この支持要素にはフランジ９と弾性カラー１０とが取り付けられる。このようにして、挿入モジュール２の端部３に対するシールモジュール８の軸方向位置を所望に応じて設定することができる。
【００１８】
眼科手術器具１の使用中に、外科医は、挿入モジュール２の鋭い端部３によって結膜および強膜の切開を行い、記載されているシールモジュールが切開部の周囲の眼組織に当接してシールするまで、挿入モジュール２が眼内空間に挿入される。次に、シールモジュール８の支持要素１１がさらに眼内空間内に延びる。その次に、挿入モジュール２が、眼から取り外され、シールモジュールの背部から出る。
【００１９】
シールモジュール８は眼組織の背部に残留するので、切開部の結膜と強膜とが互いに整列され、その結果、組織への過大な応力が防止される。さらに、シールモジュールは、眼内空間内に延びる手術モジュールを収容することができる。このようにして、眼科外科医は、眼内空間において非侵襲的に外科的処置を行うことができる。手術モジュールは、例えば、切断モジュール、レーザーモジュールまたは照明モジュールを備え得る。さらに、目視検査を行うために、あるいは液体および／または気体を眼内空間に導入するかまたはそこから抽出するために、シールモジュールを利用することが可能である。
【００２０】
眼液が眼の眼内空間から切開部を通って漏れることを防止するために、カラー１０の弾性特性により、眼組織に対するシール作用が提供される。さらに、剛性フランジ９は、切開部の周囲における組織の望ましくない収縮および／または拡張を防止する。
【００２１】
シールモジュールによって、特定の外形寸法、例えば２０、２３または２５ゲージを有する手術モジュールを収容することができるように、シールモジュールの内部が寸法決めされる。
【００２２】
さらに、眼の眼内空間内における外科的処置が完了した後に、シールモジュール８が取り外される。切開部は僅かな寸法であるので、傷口は自然に塞がる。
【００２３】
管状要素５およびフランジ９は好ましくはステンレス鋼から製造されるので、滅菌が容易な製品となることに留意されたい。さらに、管状要素およびフランジを他の材料から、例えばチタンおよび／またはプラスチックから製造することが可能である。
【００２４】
本発明は、本明細書に記載した例示的な実施形態に限定されない。多くの変形例が可能である。
【００２５】
例えば、器具の湾曲セグメントは剛性または若干弾性の構造であってもよい。
【００２６】
さらに、器具は、鋭い遠位端の代わりに、鈍い遠位端を備えてもよい。
【００２７】
このような変形例は、当業者に明らかであり、以下の特許請求の範囲に記載されているような本発明の範囲内にあると理解される。
【符号の説明】
【００２８】
１  手術器具
２  挿入モジュール
３  鋭い遠位端
４  操作要素
５  実質的に管状の要素
６  湾曲セグメント
７  グリップ
８  シールモジュール
９  実質的に剛性のフランジ
１０  弾性カラー
１１  シールモジュール８の支持要素
Ｈ  管状要素５の中心線
Ｒ  半径方向
Ｔ  円周方向
【図１】
2011515185.tif 000003
【図２】
2011515185.tif 000004
【国際調査報告】
2011515185.tif 000005
2011515185.tif 000006
2011515185.tif 000007